(57)【要約】      （修正有）【課題】管内の圧力を安定させ、過熱現象によって爆発の危険を防止する予熱廻水装置を提供する。      【解決手段】予熱廻水装置は、箱体内にポンプ、制御モジュール、過熱保護装置、Ｙ字型接続管ヘッド及び複数本の接続管を設置し、迴水装置は一般の湯沸かし器及び建築物に現有する熱水配管、給水配管と組み立てて接合する。ポンプには制御モジュールを連接し、接続管はそれぞれポンプ及びＹ字型接続管ヘッドと連接し、Ｙ字型接続管ヘッドは他の接続管によってそれぞれ箱体の接続管と連接する。【選択図】図１
0003156130.tif 000002
【実用新案登録請求の範囲】
【請求項１】
予熱廻水装置において、
箱体内にポンプ、制御モジュール、Ｙ字型接続管ヘッド及び少なくとも一つの接続管を設置し、そのうちポンプには制御モジュールを連接し、そのうちの一つの接続管はそれぞれポンプ及びＹ字型接続管ヘッドと連接し、Ｙ字型接続管ヘッドはその他の接続管によってそれぞれ箱体の接続管と連接して迴水装置の組立を完成することを特徴とする予熱廻水装置。
【請求項２】
前記接続管のうちの第一接続管一端の管口は、ポンプの出水口に接続して別一端はＹ字型接続管ヘッドの第一接続口に接続し、前記接続管のうちの第二接続管一端の管口はＹ字型接続管ヘッドの第二接続口に接続して別一端は箱体の接続口に接続し、前記接続管のうちの第三接続管一端の管口はＹ字型接続管ヘッドの第三接続口に接続して別一端の管口は箱体の接続口に接続し、前記接続管のうちの第四接続管一端の管口はポンプの進水口に接続して別一端の管口は箱体の接続口に接続することを特徴とする請求項１記載の予熱廻水装置。
【請求項３】
前記制御モジュールは、一般建築物内に予め設置したスイッチと連接し、ユーザーは手動方式もしくはリモートコントロール方式でスイッチをスタートさせることを特徴とする請求項１記載の予熱廻水装置。
【請求項４】
前記制御モジュールには、時間設定タイマーを設置することを特徴とする請求項１記載の予熱廻水装置。
【請求項５】
前記予熱廻水装置は、湯沸かし器内に一体成型して設置してもよいことを特徴とする請求項１記載の予熱廻水装置。
【請求項６】
前記第一接続管の上には、過熱保護装置を設置し、第一接続管は三叉管継ぎ手でＹ字型接続管ヘッドと連接し、三叉管継ぎ手の別端は前記接続管のうちの第五接続管で前記第三接続管上の三叉管継ぎ手と連接することを特徴とする請求項２記載の予熱廻水装置。
【請求項７】
前記第五接続管上は、廻水バルブを設置することを特徴とする請求項６記載の予熱廻水装置。
【請求項８】
前記過熱保護装置の三叉管継ぎ手は、一端に圧力調整装置を設置して予熱廻水装置と連接することを特徴とする請求項６記載の予熱廻水装置。
【考案の詳細な説明】
【技術分野】
【０００１】
本考案は、予熱廻水装置に関するもので、特に迴水装置は一般の湯沸かし器及び建築物に現有する熱水配管、給水配管を合わせて組み立て、実際の要求及び建築物の配管の長さに設定した制御モジュールの時間（約数十秒から数分間）に基づき、ユーザーはボタンを押すか、もしくは、リモートコントロール方式で予熱廻水装置を始動すると、該装置で熱水配管内の水液を吸い上げて湯沸かし器内へ回流して加熱し、その循環動作を行い、設定時間が来ると完全に停止する。拠って、ユーザーはただ蛇口を熱水表示方向へ回して開くだけで、即座に熱水が流出して使用できる。更に該迴水装置内には過熱保護装置及び廻水バルブもしくは圧力調整装置が設置されているため、万一、時間設定タイマーが故障した場合でも過熱保護装置が熱水管内の熱水を廻水バルブ経由で冷水管内へ導くか、もしくは管内圧力を維持して安定させ、過熱現象に拠る爆発等危険を防止する。
【背景技術】
【０００２】
一般公知の湯沸かし器は、蛇口を熱水方向に回すと、熱水が出てくるが、該熱水蛇口を開いた時、管内の冷水が先に流れ出て数分間後にやっと熱水が流れ出す。この間に流れる水は無駄に捨てられることになる。
【０００３】
一戸につき平均して3.3人の家庭として従来の湯沸かし器を使用する方法だと、毎日管内の冷水が熱水に変わるまで待っている間に消費される水資源は100リットルであり、一年間としてみると、各家庭では36,500リットルの水資源が無駄に捨てられる。考案者の所在地である国には750万戸の家庭があり、この計算に基づくと、684億3750万ガロン/年の水資源が無駄に消費され、それは一日当たり1億8750万ガロンの水資源が捨てられることになり、これは同時に温室効果ガスがひどく発生していることになる。
【０００４】
更に２００７年のフランスのツールでの人口会議に於いて、２００５年６月までで世界人口は既に65億人に達していると伝えられた。従来の湯沸かし器を使用する方法だと、毎日各人が蛇口を開けて熱水を待つと、平均して33.3リットルの冷水を無駄にする。もしも世界人口の数値で計算すると、全世界で一日に541億1250万ガロンの水資源を無駄にする事になり、驚くような数値になる。
【０００５】
現在、世界的な潮流として、各国では経済を振興させ、弱者を保護し、省エネ温暖化ガス排出量削減及び人材の育成を主な課題としている。本考案ではこの方針に基づいて創造開発し、特にエネルギーの利用において、従来の習慣的“浪費”資源を節約し、資源を再利用することで、別の経済振興を成就させる。
【０００６】
或る業者が開発した定時定温を備えた迴水装置があるが、該迴水装置は時間計測器、自動温度計測器、無停電電源装置（ＵＰＳ）、吹き出し弁、圧力ポット等部品を含む。ユーザーは、上述の部品を必要に応じて時間を設定して廻水動作を設定すると、該迴水装置は設定した時間に基づき始動し、迴水加熱動作を行う。
【先行技術文献】
【特許文献】
【０００７】
【特許文献１】特開平１１−１９０５５７号公報
【考案の概要】
【考案が解決しようとする課題】
【０００８】
解決しようとする問題点は、公知の迴水装置は、ユーザーが直ぐに熱水を使用できない場合、該迴水装置は先に設定した時間に基づき動作を継続するため、設定時間と使用時間の差が発生し、ガス及び電力を浪費することになり、電気,ガスの節約を達成することができず、更にはユーザーに湯沸かし器燃燒上の心理的不安をもたらすことになる。
【０００９】
更に、該種の迴水装置内の管路の口径は比較的小さく、湾曲箇所が多く、且つ元の建築物が設置した配管の口径と合わないことが多いため、水圧不足を招きやすく、流水量が下がってしまう。
【００１０】
そこで、本考案者は上述の公知の迴水装置の状況から問題を解決する本考案を開発した。
【課題を解決するための手段】
【００１１】
本考案は、箱体内にポンプ、制御モジュール、Ｙ字型接続管ヘッド及び複数本の接続管を設置する。そのうち、該迴水装置は、一般の湯沸かし器及び建築物に現有する熱水配管、給水配管と組み立てて接合する。
ユーザーは、熱水を使用する前に、有線ボタンを押すか、もしくは無線のリモートコントロール方式で予熱廻水装置を始動し、該迴水装置によって熱水配管内の既に冷えた水液もしくは温度が低い水液を吸い上げ、該水液を湯沸かし器内に回流させて加熱し、約数十秒から数分間の迴流動作を継続させて設定した時間の後に完全に停止させる。ユーザーは、ただ蛇口を熱水表示方向へ回すだけで、即座に熱水が流出し、この時預熱動作は完全に停止する。自動制御モジュール内の時間設定タイマーが故障して預熱動作を自動停止できない時、その中の一接続管上の過熱保護装置が即座に始動し、熱水を別の一接続管上の廻水バルブを経由して別の一冷水接続管内，もしくは過熱保護装置の三叉管継ぎ手の一端に設置した圧力調整装置へ導き、予熱廻水装置と連接することを最も主要な特徴とする。
【考案の効果】
【００１２】
本考案の予熱廻水装置は、ただ蛇口を熱水表示方向へ回して開くだけで、即座に熱水が流出して使用できる。時間設定タイマーが故障した場合でも過熱保護装置によって管内の圧力を安定させ、過熱現象によって爆発の危険を防止するという利点がある。
【図面の簡単な説明】
【００１３】
【図１】本考案の予熱廻水装置の内部構造指示図である。
【図２】本考案の予熱廻水装置と一般の湯沸かし器及び建築物に現有する熱水配管、給水配管組立の実施指示図である。
【図３】本考案の予熱廻水装置の別一実施例の内部構造指示図である。
【考案を実施するための形態】
【００１４】
該迴水装置は、箱体、ポンプ、制御モジュール、過熱保護装置及び廻水バルブ等主要部品を含み、更に一般の湯沸かし器及び建築物に現有する熱水配管、給水配管と合わせて組み立てて使用する。ユーザーが毎回蛇口を開いて熱水を使用していない時、先ず制御モジュールで予熱廻水装置のポンプをリモートコントロールし、熱水配管内の水液を吸い上げて湯沸かし器内へ送って再加熱する。次に一般の湯沸かし器の熱水出口から熱水配管内へ送り、この循環動作を繰り返し、（約数十秒から数分間）事前に設定した時間に完全停止するので、ユーザーは直ぐに熱水を使用できる予熱廻水装置を提供することを本考案の主な目的とする。
【００１５】
迴水装置の過熱保護は、時間設定タイマーが故障した時、熱水管内の熱水を廻水バルブ経由で冷水管内，もしくは別に外付け設置した圧力調整装置へ誘導して管内圧力を維持して安定させ、過熱現象で発生する爆発現象を防止し、安全性を備える予熱廻水装置を提供することを本考案の別の目的とする。
【００１６】
本考案の迴水装置によって水、電力、ガス及び時間等の資源を節約し、貴重な資源の浪費を防止する。更にユーザーに対して湯沸かし器もしくはその他加熱設備（例として即熱式電気ガス湯沸かし器、電気ガスバケット式湯沸かし器、ボイラー）が随時燃焼することの不安を消す予熱廻水装置を提供することを本考案の更に別の目的とする。
【００１７】
本考案の迴水装置は従来の迴水装置内にあった圧力ポット、時間設定器、自動温度計測器、無停電電源装置（ＵＰＳ）、吹き出し弁を設置しないため、予熱廻水装置の製造コストを節約する予熱廻水装置を提供することを本考案の更に別の目的とする
【００１８】
本考案の迴水装置内の管路口径を大きく、湾曲箇所を直線に、長さを短縮することで、水液の流れがスムーズになり、更に温度上昇の時間が早くなる予熱廻水装置を提供することを本考案の更に別の目的とする
【実施例】
【００１９】
図１に示すとおり、本考案の予熱廻水装置１０は、箱体１１、ポンプ１２、制御モジュール１３、Ｙ字型接続管ヘッド１４、第一接続管１５、第二接続管１６、第三接続管１７及び第四接続管１８から構成される。該ポンプ１２は一体成型で、該Ｙ字型接続管ヘッド１４は水流の圧力を下げる。
【００２０】
そのうち、該箱体１１内の上面の適する箇所に接続口１１１を設置し、箱体１１内の下底面の適する箇所には二接続口１１２、１１３を設置する。該ポンプ１２は該箱体１１内の下底面の適する箇所に設置し、該二接続口１１２、１１３を妨げないことを原則とする。該制御モジュール１３は箱体１１の内背面に設置し、ポンプ１２と相互に連接する。該ポンプ１２の駆動により、該制御モジュール１３はポンプ１２の駆動及び完全停止を制御する効果を備え、そこに時間設定タイマー１３１を設置する。
【００２１】
前記第一接続管１５一端の管口１５１はポンプ１２の出水口１２１と相互に固定し、第一接続管１５はポンプ１２の出水口１２１に接続する。該第一接続管１５別一端の管口１５２はＹ字型接続管ヘッド１４の第一接続口１４１と相互に接続して固定する。
【００２２】
前記第二接続管１６一端の管口１６１はＹ字型接続管ヘッド１４の第二接続口１４２に対応させて接合固定する。また、該第二接続管１６別一端の管口１６２は該箱体１１の接続口１１１に対応させて相互に接合させて固定する。
【００２３】
前記第三接続管１７一端の管口１７１は、Ｙ字型接続管ヘッド１４の第三接続口１４３に対応させて相互に接合固定する。また第三接続管１７別一端の管口１７２は該箱体１１の接続口１１２に対応させて接合固定する。
【００２４】
前記第四接続管１８一端の管口１８１は、ポンプ１２の進水口１２２に対応させて接合固定する。また第四接続管１８別一端の管口１８２は該箱体１１の接続口１１３に対応させて接合固定し、予熱廻水装置１０の組立を完成する。
【００２５】
更に、万一制御モジュール１３内の時間設定タイマー１３１に故障が発生して、予め予熱を設定した時間になっても自動停止しない時、本考案の第一接続管１５上に設置した過熱保護装置１９が即座に始動し、熱水が三叉管継ぎ手１９１を通り第五接続管１９２の廻水バルブ１９２１を通って第三接続管１７の三叉管継ぎ手１７３内へ導き、冷水管内へ流れ込み、過熱現象に拠る爆発等の危険を防止する。
【００２６】
図３に示すのは、本考案の別一種の実施例の内部構造指示図である。そのうち、過熱保護装置１９には別に第五接続管１９２、廻水バルブ１９２１を設置せず、第三接続管１７にも三叉管継ぎ手１７３を設置しない。また元の三叉管継ぎ手１９１端には圧力調整装置１９３と予熱廻水装置１０を連接して管内圧力の安定を維持し、同様に管内過熱現象が発生して爆発等の危険を防止する。
【００２７】
図２に示すとおり、一般建築物の予め完成配置した熱水配管２１には別に迴水管２４を配置する。本考案の予熱廻水装置１０は一般の湯沸かし器２０一端もしくは下方に設置する。そのうち一般建築物に予め配置設置した熱水配管２１一端の進水口２１１は湯沸かし器２０の熱水出口２０１と相互に固定接続する。別に接続管２３で予熱廻水装置１０と湯沸かし器２０を接続する。そのうち、接続管２２一端の管口２２１は湯沸かし器２０の給水接続口２０２に接続し、接続管２２別一端の管口２２２は予熱廻水装置１０の管口１６２に接続する。
【００２８】
一般建築物に予め設置した給水配管２３一端の出水口２３１は、予熱廻水装置１０の管口１７２と相互に固定接続し、別に配置した迴水管２４一端の接続口２４１は、予熱廻水装置１０の管口１８２と相互に固定接続する。更に現場の情況もしくはユーザーの要求に基づき、該予熱廻水装置１０の制御モジュール１３で時間を設定してもよく、該予熱廻水装置１０と一般の湯沸かし器２０及び建築物に現有する熱水配管２１、給水配管２３の組立が完成する。
【００２９】
仮に、ユーザーが熱水を使用してシャワーを浴びたい時、服を脱ぐ前に蛇口３０を開く必要はなく、建築物内の適する位置に設置したスイッチを手動で押すか、もしくはリモコン式でスイッチを動かすだけで該予熱廻水装置１０のポンプ１２が動く。該ポンプ１２は熱水配管２１内の水液を吸い込み、第四接続管１８、第一接続管１５、更に第二接続管１６を通って湯沸かし器２０内に流れて加熱する。更に湯沸かし器２０の熱水出口２０１から熱水配管２１内へ流出して水液の回流状態を形成して予め設定した時間までずっとこの状態を維持した後完全に停止する。この時、ユーザーは蛇口３０を開いて熱水を直ぐに使用できる。
【産業上の利用可能性】
【００３０】
該予熱廻水装置１０はただ湯沸かし器２０に設置して使えるだけでなく、その他の加熱設備にも設置できる。例として、熱式電気ガス湯沸かし器、電気ガスバケット式湯沸かし器、ボイラー，はすべて預熱迴水の効果を得ることができる。また該予熱廻水装置１０は湯沸かし器２０内に一体で設置することもできる。
【符号の説明】
【００３１】
１０        予熱廻水装置
１１        箱体
１１１        接続口
１１２        接続口
１１３        接続口
１２        ポンプ
１２１        出水口
１２２        進水口
１３        制御モジュール
１３１        時間設定タイマー
１４        Ｙ字型接続管ヘッド
１４１        第一接続口
１４２        第二接続口
１４３        第三接続口
１５        第一接続管
１５１        管口
１５２        管口
１６        第二接続管
１６１        管口
１６２        管口
１７        第三接続管
１７１        管口
１７２        管口
１７３        三叉管継ぎ手
１８        第四接続管
１８１        管口
１８２        管口
１９        過熱保護装置
１９１        三叉管継ぎ手
１９２        第五接続管
１９２１        廻水バルブ
１９３        圧力調整装置
２０        湯沸かし器
２０１        熱水出口
２０２        給水接続口
２１        熱水配管
２１１        進水口
２２        接続管
２２１        管口
２２２        管口
２３        給水配管
２３１        出水口
２４        迴水管
２４１        接続口
３０        蛇口
【図１】
0003156130.tif 000003
【図２】
0003156130.tif 000004
【図３】
0003156130.tif 000005